(57)【要約】      （修正有）【課題】輸送のための物品を整理及び固定するための衝突対応の携帯用モジュール式区画化軟質壁装置及びシステムを提供する。【解決手段】磁気ポーチ取設機構は、整列板内に配置される１つ以上の磁気領域を有する整列板を有する、１つ以上の磁気ポーチ取付具５００を含み得る。磁気ポーチ取付具はまた、１つ以上の磁気ポーチ取付具と取り外し可能に連結され得るポーチ９００を含み得、そのため、ポーチが１つ以上の磁気ポーチ取付具に近接して定置されるとき、吸引磁力が、ポーチと１つ以上の磁気ポーチ取付具との間に及ぼされ、そのため、ポーチが、１つ以上の磁気ポーチ取付具に整列し、かつ連結する。ポーチに連結される取付ブラケットは、取付ブラケット内に配置され、かつ１つ以上の磁気領域で吸引磁力を誘発するように構成される、１つ以上のブラケット磁気領域を含み得る。【選択図】図１８
2020037408.tif 000002
【特許請求の範囲】
【請求項１】
磁気ポーチ取設機構であって、
１つ以上の磁気ポーチ取付具であって、
整列板と、
前記整列板内に配置される１つ以上の磁気領域と、
前記整列板に配置される１つ以上の取付アパーチャと、
前記整列板に配置される１つ以上のラッチアパーチャと、
ラッチ把手及び１つ以上のラッチ歯を備える、ラッチであって、前記ラッチが保持位置にあるとき、各ラッチ歯が、各ラッチアパーチャの中へ突出し、前記ラッチが解放位置にあるとき、各ラッチ歯が、各ラッチアパーチャから退縮させられ、前記ラッチ把手が、前記保持位置と前記解放位置との間で、前記ラッチを移行させる、ラッチと、を備える、１つ以上の磁気ポーチ取付具と、
前記１つ以上の磁気ポーチ取付具と取り外し可能に連結するためのポーチであって、そのため、前記ポーチが前記１つ以上の磁気ポーチ取付具に近接して定置されるとき、吸引磁力が、前記ポーチと前記１つ以上の磁気ポーチ取付具との間に及ぼされ、そのため、前記ポーチが、整列し、かつ前記１つ以上の磁気ポーチ取付具に連結し、前記ポーチが、
内部区画を画定し、物品を前記内部区画内に受容するための開口部を有する容器と、
前記容器に蝶番式に連結され、前記開口部と前記容器の外面の少なくとも一部とを被覆するようにサイズ決定される、フラップと、
前記フラップを前記容器の前記外面に固定するための手段と、
前記容器に連結される取付ブラケットであって、
前記取付ブラケット内に配置され、かつ前記１つ以上の磁気領域で前記吸引磁力を誘発するように構成される、１つ以上のブラケット磁気領域と、
前記磁気ポーチ取付具の前記１つ以上の取付アパーチャと取り外し可能に連結するように構成される、１つ以上の整列ペグと、
前記磁気ポーチ取付具の前記１つ以上のラッチアパーチャと取り外し可能に連結するように構成される、１つ以上のキャッチと、を備える、取付ブラケットと、を備える、ポーチと、を備える、磁気ポーチ取設機構。
【請求項２】
前記フラップが、前記内部区画内の前記物品の視認を可能にするように、可撓性窓をさらに備える、請求項１に記載の磁気ポーチ取設機構。
【請求項３】
前記容器が、前記内部区画内の前記物品の視認を可能にするように、可撓性窓をさらに備える、請求項１に記載の磁気ポーチ取設機構。
【請求項４】
前記１つ以上のポーチが、１つの磁気ポーチ取付具の半分に取り外し可能に連結するように構成されるポーチ、単一の磁気ポーチ取付具と取り外し可能に連結するように構成される単一のポーチ、並んで水平方向に位置付けられる２つの磁気ポーチ取付具と取り外し可能に連結するように構成される長いポーチ、または上下に垂直方向に位置付けられる２つの磁気ポーチ取付具と取り外し可能に連結するように構成される丈高のポーチである、請求項１に記載の磁気ポーチ取設機構。
【請求項５】
前記１つ以上の磁気ポーチ取付具が、下方磁気ポーチ取付具の上に垂直方向に位置付けられる、上方磁気ポーチ取付具であり、前記丈高のポーチが、前記取付ブラケットに摺動自在に連結され、かつ前記上方磁気ポーチ取付具上の第１のラッチ、及び前記下方磁気ポーチ取付具上の第２のラッチを同時に作動させて、前記丈高のポーチを、前記上方磁気ポーチ取付具及び前記下方磁気ポーチ取付具から同時に解放するように構成される、ラッチアダプタをさらに備える、請求項４に記載の磁気ポーチ取設機構。
【請求項６】
各キャッチが、各キャッチを各ラッチアパーチャと整列させることを支援するように、かつ、前記キャッチが各ラッチアパーチャと摺動自在に連結するとき、各ラッチ歯を前記保持位置から前記解放位置に移行させるように、曲面をさらに備え、前記１つ以上の整列ペグが、各整列ペグを各取付アパーチャと整列させることを支援するように、前記曲面をさらに備える、請求項１に記載の磁気ポーチ取設機構。
【請求項７】
前記１つ以上の磁気ポーチ取付具が、車両の壁、車両構造、建物の壁、建物構造、小屋、椅子、鞄、または荷車に連結される、請求項１に記載の磁気ポーチ取設機構。
【請求項８】
前記１つ以上のポーチ及び前記１つ以上の磁気ポーチ取付具が、衝突対応である、請求項１に記載の磁気ポーチ取設機構。
【請求項９】
ポーチアセンブリの利用方法であって、
ポーチを１つ以上の磁気ポーチ取付具に近接して移動させることであって、各１つ以上の磁気ポーチ取付具が、
整列板と、
前記整列板内に配置される１つ以上の磁気領域と、
前記整列板に配置される１つ以上の取付アパーチャと、
前記整列板に配置される１つ以上のラッチアパーチャと、
ラッチ把手及び１つ以上のラッチ歯を備える、ラッチであって、前記ラッチが保持位置にあるとき、各ラッチ歯が、各ラッチアパーチャの中へ突出し、前記ラッチが解放位置にあるとき、各ラッチ歯が、各ラッチアパーチャから退縮させられ、前記ラッチ把手が、前記保持位置と前記解放位置との間で、前記ラッチを移行させる、ラッチと、を備え、
前記ポーチが、
内部区画を画定し、物品を前記内部区画内に受容するための開口部を有する容器と、
前記容器に蝶番式に連結され、前記開口部と前記容器の外面の少なくとも一部とを被覆するようにサイズ決定される、フラップと、
前記フラップを前記容器の前記外面に固定するための手段と、
前記容器に連結される取付ブラケットであって、
前記取付ブラケット内に配置され、かつ前記１つ以上の磁気領域で前記吸引磁力を誘発するように構成される、１つ以上のブラケット磁気領域と、
前記磁気ポーチ取付具の前記１つ以上の取付アパーチャと取り外し可能に連結するように構成される、１つ以上の整列ペグと、
前記磁気ポーチ取付具の前記１つ以上のラッチアパーチャと取り外し可能に連結するように構成される、１つ以上のキャッチと、を備える、取付ブラケットと、を備える、移動させることと、
前記ポーチと前記１つ以上の磁気ポーチ取付具との間の前記吸引磁力が誘引され、前記ポーチを前記１つ以上の磁気ポーチ取付具に取り外し可能に連結することを可能にすることと、を含む、方法。
【請求項１０】
前記ラッチを前記保持位置から前記解放位置に移行させて、前記ポーチを前記１つ以上の磁気ポーチ取付具から取り外すことを更に含む、請求項９に記載の方法。
【請求項１１】
ポーチ改良キットであって、
１つ以上の磁気ポーチ取付具であって、
表面に連結される整列板と、
前記整列板内に配置される１つ以上の磁気領域と、
前記整列板に配置される１つ以上の取付アパーチャと、
前記整列板に配置される１つ以上のラッチアパーチャと、
ラッチ把手及び１つ以上のラッチ歯を備える、ラッチであって、前記ラッチが保持位
置にあるとき、各ラッチ歯が、各ラッチアパーチャの中へ突出し、前記ラッチが解放位置にあるとき、各ラッチ歯が、各ラッチアパーチャから退縮させられ、前記ラッチ把手が、前記保持位置と前記解放位置との間で、前記ラッチを移行させる、ラッチと、を備える、１つ以上の磁気ポーチ取付具と、
既存のポーチに連結される取付ブラケットであって、
前記取付ブラケット内に配置され、かつ前記１つ以上の磁気領域で吸引磁力を誘発するように構成される、１つ以上のブラケット磁気領域と、
前記磁気ポーチ取付具の前記１つ以上の取付アパーチャと取り外し可能に連結するように構成される、１つ以上の整列ペグと、
前記磁気ポーチ取付具の前記１つ以上のラッチアパーチャと取り外し可能に連結するように構成される、１つ以上のキャッチと、を備える、取付ブラケットと、を備え、
前記取付ブラケットが前記１つ以上の磁気ポーチ取付具に近接して定置されるとき、前記吸引磁力が、前記取付ブラケットと前記１つ以上の磁気ポーチ取付具との間に及ぼされ、そのため、前記取付ブラケットが、前記１つ以上の磁気ポーチ取付具に整列し、かつ連結する、ポーチ改良キット。
【請求項１２】
前記キャッチが、各キャッチを各ラッチアパーチャと整列させることを支援するように、かつ、各キャッチが各ラッチアパーチャと摺動自在に連結するとき、各ラッチ歯を前記保持位置から前記解放位置に移行させるように、曲面をさらに備え、前記１つ以上の整列ペグが、各整列ペグを各取付アパーチャと整列させることを支援するように、前記曲面をさらに備える、請求項１１に記載のポーチ改良キット。
【請求項１３】
前記１つ以上の磁気ポーチ取付具が、車両の壁、車両構造、建物の壁、建物構造、小屋、椅子、鞄、または荷車に連結される、請求項１１に記載のポーチ改良キット。
【請求項１４】
前記取付ブラケット及び前記１つ以上の磁気ポーチ取付具が、衝突対応である、請求項１１に記載のポーチ改良キット。
【発明の詳細な説明】
【関連出願】
【０００１】
関連出願の相互参照
本出願は、「Ａ  Ｃｒａｓｈ−Ｒｅａｄｙ，Ｐｏｒｔａｂｌｅ，Ｃｏｍｐａｒｔｍｅｎｔａｌｉｚａｔｉｏｎ  Ｄｅｖｉｃｅ」と題された２０１４年７月１８日出願の仮出願第６２／０２６，５２０号の利益を主張する。本出願は、「Ｅｑｕｉｐｍｅｎｔ  Ｍｏｕｎｔｉｎｇ  Ｓｙｓｔｅｍ」と題された２０１４年２月１１日出願の仮出願第６１／７６３，０４５号及び「Ｅｑｕｉｐｍｅｎｔ  Ｍｏｕｎｔｉｎｇ  Ｓｙｓｔｅｍ」と題された２０１４年２月１１日出願のＰＣＴ出願第ＵＳ  ２０１４／０１５，８９８号ならびに「Ｅｑｕｉｐｍｅｎｔ  Ｍｏｕｎｔｉｎｇ  Ｓｙｓｔｅｍ」と題された２０１４年８月８日出願の代理人整理番号ＦＥＲ  ０５３４  ＩＡに対する米国特許出願に関する。本出願はまた、「Ｅｑｕｉｐｍｅｎｔ  Ｍｏｕｎｔｉｎｇ  Ｓｙｓｔｅｍ」と題された２０１４年８月８日出願の代理人整理番号ＦＥＲ  ０５３４  ＷＯに対するＰＣＴ特許出願にも関し、これらは参照によりその全体が本明細書に組み込まれる。
【技術分野】
【０００２】
本明細書は概して、車両または構造において様々な構成で使用するための携帯用区画化装置に関し、より具体的には、機器取付システムとともに使用される衝突対応の携帯用区画化装置に関する。
【背景技術】
【０００３】
可動用途で使用される多くの供給品は、ある構造における使用のための設計技術を用いて設備内で整理される。多くの場合、設計技術は、可動用途等の空間が限定された環境において設備を使用することによる空間の不足を打開しない。さらに、設備は通常、可動用途において堅く取設されており、これは、設備内に保管された供給品が、別の場所で使用されることを可能にしない場合がある。設備の固定ファスナが耐えなければならない堅さは、静止用途よりも可動用途において上昇する。さらに車両の乗員は、道具を必要とせずに設備の再配置を必要とすることがある。
【発明の概要】
【０００４】
一実施形態では、磁気ポーチ取設機構は、１つ以上の磁気ポーチ取付具と、１つ以上のポーチと、を含み得る。各磁気ポーチ取付具は、整列板と、整列板内に配置される１つ以上の磁気領域と、整列板内に配置される１つ以上の取付アパーチャと、整列板内に配置される１つ以上のラッチアパーチャと、ラッチ把手及び１つ以上のラッチ歯を有するラッチと、を含み得、ラッチが保持位置にあるとき、各ラッチ歯は、各ラッチアパーチャの中へ突出し、ラッチが解放位置にあるとき、各ラッチ歯は、各ラッチアパーチャから退縮させられる。ラッチ把手は、保持位置と解放位置との間でラッチを移行させる。１つ以上のポーチは、１つ以上の磁気ポーチ取付具と取り外し可能に連結され得、そのため、各ポーチが１つ以上の磁気ポーチ取付具に近接して定置されるとき、吸引磁力が、ポーチと１つ以上の磁気ポーチ取付具との間に及ぼされ、そのため、ポーチが、整列し、かつ１つ以上の磁気ポーチ取付具に連結する。各ポーチは、内部区画を画定し、物品を内部区画の中へ受容するための開口部を有する、容器と、容器に蝶番式に連結され、開口部及び容器の外面の少なくとも一部分を被覆するようにサイズ決定される、フラップと、フラップを容器の外面に固定するための手段と、容器に連結される取付ブラケットと、を含む。取付ブラケットは、取付ブラケット内に配置され、１つ以上の磁気領域で吸引磁力を誘発するように構成される、１つ以上のブラケット磁気領域と、磁気ポーチ取付具の１つ以上の取付アパーチャと取り外し可能に連結するように構成される１つ以上の整列ペグと、磁気ポーチ取付具の１つ以上のラッチアパーチャと取り外し可能に連結するように構成される１つ以上のキャッチと、を含み得る。
【０００５】
別の実施形態では、ポーチアセンブリの利用方法は、ポーチを１つ以上の磁気ポーチ取付具に近接して移動させることを含み得る。ポーチは、内部区画を画定し、物品を内部区画の中へ受容するための開口部を有する、容器と、容器に蝶番式に連結され、開口部及び容器の外面の少なくとも一部分を被覆するようにサイズ決定される、フラップと、フラップを容器の外面に固定するための手段と、容器に連結される取付ブラケットと、を含み得る。取付ブラケットは、取付ブラケット内に配置され、１つ以上の磁気領域で吸引磁力を誘発するように構成される、１つ以上のブラケット磁気領域と、磁気ポーチ取付具の１つ以上の取付アパーチャと取り外し可能に連結するように構成される１つ以上の整列ペグと、磁気ポーチ取付具の１つ以上のラッチアパーチャと取り外し可能に連結するように構成される１つ以上のキャッチと、を含み得る。１つ以上の磁気ポーチ取付具は、整列板と、整列板内に配置される１つ以上の磁気領域と、整列板内に配置される１つ以上の取付アパーチャと、整列板内に配置される１つ以上のラッチアパーチャと、ラッチ把手及び１つ以上のラッチ歯を備えるラッチと、を含み得、ラッチが保持位置にあるとき、各ラッチ歯は、各ラッチアパーチャの中へ突出し、ラッチが解放位置にあるとき、各ラッチ歯は、各ラッチアパーチャから退縮させられ、ラッチ把手は、保持位置と解放位置との間で、ラッチを移行させる。該方法はまた、ポーチと１つ以上の磁気ポーチ取付具との間の吸引磁力が誘引され、ポーチを１つ以上の磁気ポーチ取付具に取り外し可能に連結することを可能にすることを含み得る。
【０００６】
さらに別の実施形態では、ポーチ改良キットは、１つ以上の磁気ポーチ取付具であって、表面に連結される整列板と、整列板内に配置される１つ以上の磁気領域と、整列板内に配置される１つ以上の取付アパーチャと、整列板内に配置される１つ以上のラッチアパーチャと、ラッチ把手及び１つ以上のラッチ歯を備えるラッチと、を含み得る、１つ以上の磁気ポーチ取付具を含み得、ラッチが保持位置にあるとき、各ラッチ歯は、各ラッチアパーチャの中へ突出し、ラッチが解放位置にあるとき、各ラッチ歯は、各ラッチアパーチャから退縮させられ、ラッチ把手は、保持位置と解放位置との間で、ラッチを移行させる。改良キットはまた、既存のポーチに連結される取付ブラケットを含み得、取付ブラケットは、取付ブラケット内に配置され、かつ１つ以上の磁気領域で吸引磁力を誘発するように構成される、１つ以上のブラケット磁気領域と、磁気ポーチ取付具の１つ以上の取付アパーチャと取り外し可能に連結するように構成される１つ以上の整列ペグと、磁気ポーチ取付具の１つ以上のラッチアパーチャと取り外し可能に連結するように構成される１つ以上のキャッチと、を含み得る。取付ブラケットが１つ以上の磁気ポーチ取付具に近接して定置されるとき、吸引磁力が、取付ブラケットと１つ以上の磁気ポーチ取付具との間に及ぼされ、そのため、取付ブラケットが、整列し、かつ１つ以上の磁気ポーチ取付具に連結する。
【０００７】
これらの特徴及び本明細書に記載の実施形態によって提供される追加の特徴は、図面と併せて以下の詳細な説明を考慮して、より完全に理解される。
【図面の簡単な説明】
【０００８】
図面に示される実施形態は実例であり、特許請求の範囲によって定義される主題を制限することは意図されない。例示的実施形態の以下の詳細な説明は、以下の図面と併せて読むことで理解することができ、図面において同様の構造は同様の参照数字を用いて示される。
【０００９】
【図１】本明細書に示され、記載される１つ以上の実施形態に従う磁気ポーチ取付部の正面図である。
【図２】本明細書に示され、記載される１つ以上の実施形態に従う磁気ポーチ取付部の背面図である。
【図３】本明細書に示され、記載される１つ以上の実施形態に従うポーチの正面図である。
【図４】本明細書に示され、記載される１つ以上の実施形態に従うポーチの背面図である。
【図５】本明細書に示され、記載される１つ以上の実施形態に従うポーチの平面図である。
【図６Ａ】本明細書に示され、記載される１つ以上の実施形態に従う取付ブラケットの等角図である。
【図６Ｂ】本明細書に示され、記載される１つ以上の実施形態に従うポーチの下面図である。
【図７】本明細書に示され、記載される１つ以上の実施形態に従うポーチの別の正面図である。
【図８】本明細書に示され、記載される１つ以上の実施形態に従う単一のポーチの正面図である。
【図９】本明細書に示され、記載される１つ以上の実施形態に従う単一のポーチの背面図である。
【図１０】本明細書に示され、記載される１つ以上の実施形態に従う単一のポーチの別の正面図である。
【図１１】本明細書に示され、記載される１つ以上の実施形態に従う丈高のポーチの正面図である。
【図１２】本明細書に示され、記載される１つ以上の実施形態に従う丈高のポーチの背面図である。
【図１３】本明細書に示され、記載される１つ以上の実施形態に従うラッチアダプタの等角図である。
【図１４】本明細書に示され、記載される１つ以上の実施形態に従って作動位置にあるラッチアダプタを示す。
【図１５】本明細書に示され、記載される１つ以上の実施形態に従う丈高のポーチの別の正面図である。
【図１６】本明細書に示され、記載される１つ以上の実施形態に従って磁気ポーチ取付部に連結される丈高のポーチの等角図である。
【図１７】本明細書に示され、記載される１つ以上の実施形態に従って２つの磁気ポーチ取付部に連結される丈高のポーチの等角図である。
【図１８】本明細書に示され、記載される１つ以上の実施形態に従って表面に取り付けられるポーチを例示する。
【図１９】本明細書に示され、記載される１つ以上の実施形態に従う衝突対応の携帯用物品区画化装置（軟質壁）の正面図である。
【図２０】本明細書に示され、記載される１つ以上の実施形態に従う軟質壁の背面図である。
【図２１】本明細書に示され、記載される１つ以上の実施形態に従う軟質壁のシェルの側面図である。
【図２２】本明細書に示され、記載される１つ以上の実施形態に従う軟質壁の下面図である。
【図２３】本明細書に示され、記載される１つ以上の実施形態に従う開放位置にある軟質壁の平面図である。
【図２４】本明細書に示され、記載される１つ以上の実施形態に従う軟質壁１００の断面図である。
【図２５】本明細書に示され、記載される１つ以上の実施形態に従う軟質壁の別の平面図である。
【図２６】本明細書に示され、記載される１つ以上の実施形態に従う軟質壁の第１の実施形態の正面図である。
【図２７】本明細書に示され、記載される１つ以上の実施形態に従う軟質壁の第１の実施形態の背面図である。
【図２８】本明細書に示され、記載される１つ以上の実施形態に従う軟質壁の第２の実施形態の正面図である。
【図２９】本明細書に示され、記載される１つ以上の実施形態に従う軟質壁の第２の実施形態の背面図である。
【図３０】本明細書に示され、記載される１つ以上の実施形態に従う拘束用ストラップ及びアンカーの一実施形態の等角図である。
【図３１】本明細書に示され、記載される１つ以上の実施形態に従う車両の壁に連結される軟質壁を有する車両の断面図である。
【図３２】本明細書に示され、記載される１つ以上の実施形態に従う機器取付システムを例示する。
【図３３】本明細書に示され、記載される１つ以上の実施形態に従う取付スタッドの側面図である。
【図３４】本明細書に示され、記載される１つ以上の実施形態に従う楔形接合部の等角図である。
【図３５】本明細書に示され、記載される１つ以上の実施形態に従う楔形接合部の正面図である。
【発明を実施するための形態】
【００１０】
図２６及び２７は、概して、輸送のための物品を整理及び固定するための衝突対応の携帯用モジュール式区画化軟質壁装置及びシステムの一実施形態を示す。軟質壁装置は、概して、完全なシェルを形成する２つの半シェルを含み、各半シェルは、複数のポーチを各半シェルに固定するためのいくつかの取り外し可能な手段を備えた裏装板を有する。複数のポーチは、様々な構成で各半シェルに固定されるように構成され得る。例えば、各取り外し可能な手段は、ただ１つのポーチを固定してもよい。別の例では、大きいポーチが、２つ以上の取り外し可能な手段に固定されてもよい。さらに別の例では、２つの小さいポーチが、単一の取り外し可能な手段に固定されてもよい。各半シェル内の取り外し可能な手段の構成は、軟質壁装置内の様々な大きさのポーチの複数の構成を可能にすることができる。各半シェルは他方の半シェルに固定され、完全なシェルを形成し、ポーチ及びその中に保持される物品を保護することができる。シェル、ポーチ、ならびに様々な取り外し可能な手段及び継手は、以下で定義されるように全て衝突対応である。言い換えると、完全なシェル、ポーチ、ならびに複数のポーチを固定するための様々な手段及び継手は、通常、衝突中に生じる慣性力及び衝撃力を凌ぎ、それらに耐え、さらに依然として機能性を保ち、その中に保管される様々な物品を収容するように設計される。軟質壁装置及びその使用方法の様々な実施形態が、本明細書により詳細に記載される。
【００１１】
ここで図１を参照すると、磁気ポーチ取付部５００の正面図が保持位置で示される。磁気ポーチ取付部５００は、整列板５０５、１つ以上の取付アパーチャ５１０、取付用の印５４０、１つ以上のラッチアパーチャ５３０、及びラッチ６００（図２）を含み得る。ラッチ６００は、ラッチ把手５２５及び１つ以上のラッチ歯５３５を含み得る。各ラッチ歯５３５は、保持位置の図１に示されるように各ラッチアパーチャ５３０に突出し得る。
【００１２】
各ラッチ歯は、衝突対応であり得る。本書を通して用いる場合、「衝突対応」とは、装置、機器、取付部、軌道、締結装置、または構造に及ぼされる力が前後方向において約１５Ｇ（すなわち、重力またはｇ力の単位）及び横方向において約１７Ｇを超え得る状況で、装置、機器、取付部、軌道、締結装置、または構造が、慣性力、衝撃、車両の衝突、または急な車両の操縦を凌ぎ、その後、機能性を保つように構成されることを意味する。一実施形態では、装置、機器、取付具、軌道、締結装置、または構造に及ぼされる力は、前後方向において約２２Ｇ（すなわち、重力またはｇ力の単位）及び横方向において約２６Ｇを超えることがある。
【００１３】
ラッチ軸５５０は、１つ以上のラッチアパーチャ５３０の各々の中心に位置し得る。１つ以上の取付アパーチャ５１０は、それらがラッチ軸５５０にわたって互いの鏡像であるように位置付けられ得る。取付アパーチャ軸５５５は、１つ以上の取付アパーチャ５１０の各々を二分する。取付アパーチャ軸５５５は、ラッチ軸５５０と実質的に直交し得る。
【００１４】
取付用の印５４０は、どのポーチまたはポーチの組み合わせが磁気ポーチ取付部５００に固定されるべきかを指示するために使用され得る。本書を通して用いる場合、参照番号を伴わない「ポーチ」という用語は、ポーチ９００（図３）、単一のポーチ９０１（図８）、丈高のポーチ９０２（図１１）、及び長いポーチ９０３（図２５）であり得ることを指示する。一実施形態では、ポーチは、ポーチと磁気ポーチ取付部５００との照合を容易にするために対応する印を有してもよい。別の実施形態では、整列板５０５の板表面５４５は、ポーチと磁気ポーチ取付部５００との照合を容易にするために色分けされてもよい。
【００１５】
図２は、磁気ポーチ取付部５００の内部要素を識別するために任意の保護カバー（図示せず）が取り外された磁気ポーチ取付部５００の背面図である。任意の保護カバーは、磁気ポーチ取付部５００を埃及び他の汚染物質から密閉するために使用され得る。ラッチ６００は、ラッチ把手５２５及び１つ以上の移行ブロック６１０を含み得る。各移行ブロック６１０は、図１の各ラッチ歯５３５に連結され得る。各移行ブロック６１０は、ラッチアパーチャ筐体６１５と摺動自在に連結され得る。ラッチアパーチャ筐体６１５の歯アパーチャ（図示せず）は、以下でより詳細に説明されるように、各ラッチ歯５３５が保持位置と解放位置との間で移行することを可能にすることができる。
【００１６】
１つ以上の移行ブロック６１０は、１つ以上のラッチバネ６０５によって保持位置に付勢される（すなわち、各ラッチ歯５３５が各ラッチアパーチャ５３０に突出する）。各移行ブロック６１０は、少なくとも１つのラッチバネ６０５によって保持位置に付勢され得る。ラッチ把手５２５は、１つ以上のラッチアーム６１６を含み得る。各ラッチアーム６１６は、各移行ブロック６１０に連結され得る。一実施形態では、各ラッチアーム６１６は、各移行ブロック６１０と接触していてもよい。移行ブロック６１０が保持位置に付勢されるとき、ラッチ把手５２５は、移行ブロック６１０とラッチアーム６１６との接触によって、矢印「Ａ」の方向に付勢される。
【００１７】
ラッチ把手５２５は、図１に示される保持位置から解放位置に移行され得る。解放位置では、ラッチ把手５２５は矢印「Ｂ」の方向に移行され得る。ラッチアーム６１６は、移行ブロック６１０に解放力を及ぼすことができ、それによって、１つ以上のラッチバネ６０５の付勢力を克服し、各ラッチ歯５３５をラッチアパーチャ５３０から退縮させる。ポーチに関連するラッチ６００の動作は、以下でより詳細に記載される。
【００１８】
さらに図２を参照すると、整列板５０５は、１つ以上の板取付点６２０及び１つ以上の取付アパーチャ筐体６２５を含み得る。各板取付点６２０は、整列板５０５を表面または装置に固定するために使用され得る。各取付アパーチャ筐体６２５は、整列板５０５において図１の各取付アパーチャ５１０を画定し得る。整列板５０５は、整列板５０５内に配置される１つ以上の磁気領域５２０も含み得る。各磁気領域５２０は、磁場を創出または維持する任意の装置または物体を含み得る。磁場を創出または維持する装置または物体としては、磁石、希土類磁石、電磁石、または磁化金属が挙げられ得る。一実施形態では、各磁気領域５２０は、板表面５４５を見たときに不可視であってもよい。
【００１９】
図１及び２を参照すると、磁気ポーチ取付部５００は、ポーチを表面１８００または装置に固定するように構成され得る。例えば、表面１８００または装置としては、車両の壁、車両構造、建物の壁、建物構造、小屋、椅子、鞄、荷車等が挙げられ得るが、これらに限定されない。磁気ポーチ取付部５００は、衝突対応であるように構成され得る。
【００２０】
図３は、ポーチ９００の正面図である。ポーチ９００は、フラップ９０５を含み得る。フラップ９０５は、可撓性窓９１０及びつまみ９１５を含んでもよい。可撓性窓９１０は、プラスチックまたはアクリル等で作製されてもよく、内部区画９７０（図７）内の物品を見ることを可能にする。ポーチ９００の寸法は、丈高約４〜丈高約７及び幅約２〜幅約６であり得る。全てのポーチは、ほぼ同じ厚さを有し得、厚さ約２〜厚さ約６であり得る。一実施形態では、ポーチは、以下に記載されるように取り外し可能な手段を用いて１つの半シェルのみが構成される場合、厚さ約２〜厚さ約８の厚さを有し得る。
【００２１】
図４は、ポーチ９００の背面図である。ポーチ９００は、容器９０６及び取付ブラケット９２０を含み得る。容器９０６は、図７に関連して以下でより詳細に考察される。取付ブラケット９２０は、１つ以上の整列ペグ９２５、キャッチ９３０、及び１つ以上のブラケット磁気領域９３５を有し得る。１つ以上の整列ペグ９２５は、図１に示される１つ以上の取付アパーチャ５１０と摺動自在に連結するように構成され得る。キャッチ９３０は、図１に示されるラッチアパーチャ５３０と取り外し可能に連結するように構成され得る。１つ以上のブラケット磁気領域９３５は、取付ブラケット９２０内に配置され、ポーチ９００が磁気ポーチ取付部５００に近接しているとき、図２に示される１つ以上の磁気領域５２０に吸引磁力を誘発するように構成され得る。言い換えると、１つ以上のブラケット磁気領域９３５及び１つ以上の磁気領域５２０は各々の両極であり、それらの間に吸引磁力を誘発することができる。例えば、ポーチ９００が磁気ポーチ取付部５００に近接して定置されるとき、吸引磁力が整列し、ポーチ９００を磁気ポーチ取付部５００に連結する。別の実施形態では、１つ以上の磁気領域５２０は電磁石であってもよく、１つ以上のブラケット磁気領域９３５は、電磁石が励起されると電磁石に引き付けられる鉄金属であってもよい。
【００２２】
取付ブラケット９２０は、１つ以上の締結手段９５０によってポーチ９００の容器９０６に連結され得る。本書を通して用いる場合、「締結手段」としては、ネジ、ボルト、リベット、釘、接着剤、Ｖｅｌｃｒｏ、溶接、エポキシ、または２つ以上の物体を機械的に一緒に継合若しくは添付する任意の同様の装置が挙げられ得るが、これらに限定されない。取付ブラケット９２０は、図１に示される磁気ポーチ取付部５００の半分と取り外し可能に連結するように構成され得る。ポーチ９００は、取付ブラケット９２０を１つだけ伴って図４に示される。ポーチ９００はが１つの磁気ポーチ取付部５００の半分と連結してもよく、または２つのポーチ９００が横ならびに１つの磁気ポーチ取付部５００と連結してもよい。
【００２３】
キャッチ軸９４０は、キャッチ９３０の中心に位置し得る。１つ以上の整列ペグ９２５は、キャッチ軸９４０にわたって互いの鏡像であるように位置付けられ得る。整列ペグ軸９４５は、１つ以上の整列ペグ９２５の各々を二分し得る。キャッチ軸９４０は、整列ペグ軸９４５と実質的に直交し得る。
【００２４】
図５は、ポーチ９００の平面図である。フラップ９０５は、ポーチ蝶番９５５によって容器９０６に蝶番式に連結され得る。一実施形態では、ポーチ蝶番９５５は、容器９０６が構築されるものと同じ材料から構築されてもよく、ピアノ蝶番のようである。フラップ９０５と容器９０６とを蝶番式に連結する機構の他の例としては、背出蝶番、ストラップ蝶番、ｔ字蝶番、及び自在蝶番が挙げられ得るが、これらに限定されない。取付ブラケット９２０上のキャッチ９３０は、ラッチ歯５３５（図１）を受容するように構成される歯
アパーチャ９６０を含み得る。
【００２５】
図６Ａは、取付ブラケット９２０の等角図である。キャッチ９３０は、ラッチアパーチャ５３０（図１）と取り外し可能に連結し、図２のラッチアパーチャ筐体６１５と摺動自在に連結するように構成され得る。曲面９６５は、ラッチ把手５２５の作動によりキャッチ９３０がラッチアパーチャ５３０と連結されるとき、ラッチ歯５３５を保持位置から解放位置に移行するように構成され得る。曲面９６５は、傾斜縁部、テーパー状縁部等であってもよい。１つ以上の整列ペグ９２５は、各整列ペグ９２５を図１の各取付アパーチャ５１０内に摺動自在に連結するための曲面９６５も含み得る。曲面９６５は、キャッチ９３０とラッチアパーチャ５３０との整列を支援し、かつ各整列ペグ９２５と各ラッチアパーチャ５３０との整列を支援し得る。
【００２６】
図６Ｂは、ポーチ９００の下面図である。取付ブラケット９２０は、容器９０６の下方を包み、図７に示される内部区画９７０内の物品の重量の一部を支持するように構成されるＬ字型拡張部９９５を含み得る。締結手段９５０を使用して、Ｌ字型拡張部９９５を容器９０６に連結することができる。固定手段９８５を使用して、フラップ９０５を容器９０６に固定することができる。固定手段は、以下でより詳細に考察される。
【００２７】
図７は、開放位置にあるフラップ９０５を有するポーチ９００の別の正面図である。容器９０６は、部分的な囲い及び開口部９７５を含み得る。部分的な囲い及び開口部９７５は、内部区画９７０を画定することができ、開口部９７５は、物品が内部区画９７０内に受容されることを可能にし得る。一実施形態では、容器９０６は、内部区画９７０内の物品を見ることを可能にするための可撓性窓を含んでもよい。フラップ９０５は、開口部９７５と容器９０６の外面９８０の少なくとも一部とを被覆するようにサイズ決定され得る。フラップ９０５は、容器９０６と同じ材料から作製され得る。一実施形態では、また図７、８、１０、１１、及び１５に示されるように、締結手段９５０は、容器９０６を通して取付ブラケット９２０（図示せず）に連結され得る。別の実施形態では、容器９０６は、耐水容器であってもよい。この実施形態では、締結手段は、容器９０６が耐水のままであることを確実にするために容器９０６を貫かなくてもよい。耐水容器を維持するために使用される締結手段は、接着剤、溶接、エポキシ、またはアパーチャを創出若しくは使用することなく２つ以上の物体を機械的に一緒に継合または添付する任意の同様の装置であり得る。
【００２８】
ポーチ９００は、フラップ９０５を容器９０６の外面９８０に固定するための固定手段９８５（図６Ｂ）も含み得る。固定手段９８５としては、Ｖｅｌｃｒｏ（登録商標）、ボタンスナップ、ボタン及びホール、フック及びバー、ジッパ、スナップバックル、バックル、Ｆｉｄｌｏｃｋ（登録商標）Ｓｌｉｄｅｒファスナ、Ｆｉｄｌｏｃｋ（登録商標）ＳＮＡＰファスナ、Ｆｉｄｌｏｃｋ（登録商標）ＳＮＡＰバックルファスナ、Ｆｉｄｌｏｃｋ（登録商標）ＳＮＡＰプッシュファスナ、Ｆｉｄｌｏｃｋ（登録商標）ＳＮＡＰプルファスナ、Ｆｉｄｌｏｃｋ（登録商標）ＭＩＮＩ  ＴＵＲＮファスナ、Ｆｉｄｌｏｃｋ（登録商標）Ｈｏｏｋファスナ等が挙げられ得る。固定手段９８５は、衝突対応であり得る。
【００２９】
一実施形態では、固定手段９８５は、スナップ９８５ａ及びポスト９８５ｂを含み得る。スナップ９８５ａ及びポスト９８５ｂの両方は、スナップ９８５ａ及びポスト９８５ｂが互いにごく近接しているとき、スナップ９８５ａがポスト９８５ｂに引き付けられてポスト９８５ｂと連結するように、互いに両極である１組の磁石を含み得る。開放位置から閉鎖位置へ及びその逆のフラップの移行は、周期的に実施される。この周期の開放位置から閉鎖位置への移行部には、以下を含み得る。
段階１：スナップ９８５ａのポスト９８５ｂへの接近中、すなわち１組の磁石間の磁力の有効領域内で、スナップ９８５ａ及びポスト９８５ｂは、１組の磁石間の吸引磁力の最
大引力で閉鎖位置に側方に付勢される。
段階２：閉鎖位置にある１組の磁石間の吸引磁力は、スナップ９８５ａをポスト９８５ｂと連結するために必要とされる力を超える。言い換えると、磁石の吸引力は、フラップ９０５を開放位置から閉鎖位置に移行させ、スナップ９８５ａ及びポスト９８５ｂの連結は、フラップ９０５を閉鎖位置に保持するための吸引磁力を超える。
閉鎖位置では、スナップ９８５ａ及びポスト９８５ｂは、フラップが閉鎖位置から開放位置に移行されるまで内部区画９７０内の任意の物品が内部区画９７０内に保持されるように一緒に連結される。この周期の閉鎖位置から開放位置への移行には、以下を含み得る。
段階３：１組の磁石間の吸引磁力は、スナップ９８５ａのポスト９８５ｂに対する側方の変位によって弱まる。言い換えると、ユーザは、図３に示されるつまみ９１５を掴んでフラップ９０５を引き下ろすことができ、それによりスナップ９８５ａ及びポスト９８５ｂ内の１組の磁石は、これ以上互いに隣接しなくなる。スナップ９８５ａ及びポスト９８５ｂがより長い距離で離されるにつれて、吸引磁力はより弱まる。
段階４：この側方の変位とともに、スナップ９８５ａが側方の変位によってポスト９８５ｂとの係合から外されるように、ポスト９８５ｂはスナップ９８５ａから取り外され、それによりスナップ９８５ａ及びポスト９８５ｂは互いに離れる。
【００３０】
１組の磁石を組み込むスナップ９８５ａ及びポスト９８５ｂは、ユーザがフラップ９０５を自由に落下させて解放することを可能にし、フラップ９０５は、１組の磁石間の吸引磁力を通して開放位置から閉鎖位置に移行し、ユーザの役割のさらなる介入を伴わずに容器９０６の外面９８０と連結する。さらなる説明及び例が米国特許第８，４３０，４３４号において確認されてもよく、参照によりその全体が本明細書に組み込まれる。
【００３１】
図８は、単一のポーチ９０１の正面図である。単一のポーチ９０１は、フラップ９０５、つまみ９１５、及び可撓性窓９１０を含み得る。
【００３２】
図９は、単一のポーチ９０１の背面図である。単一のポーチ９０１は、容器９０６に連結される第１の取付ブラケット９２０ａ及び第２の取付ブラケット９２０ｂを含み得る。第１の取付ブラケット９２０ａ及び第２の取付ブラケット９２０ｂは、フレーム９９０と一緒に連結され得る。第１の取付ブラケット９２０ａ及び第２の取付ブラケット９２０ｂは、図１に示される磁気ポーチ取付部５００と連結するように構成される。第１の取付ブラケット９２０ａ及び第２の取付ブラケット９２０ｂは、１つ以上のブラケット磁気領域９３５を含み得る。
【００３３】
図１０は、開放位置にあるフラップ９０５を有する単一のポーチ９０１の別の正面図である。単一のポーチ９０１の内部区画９７０は、図７のポーチ９００の約２倍の容積である。単一のポーチ９０１の寸法は、丈高約４インチ（ｉｎ）〜丈高約７インチ及び幅約５インチ〜幅約１０インチであり得る。
【００３４】
図１１は、丈高のポーチ９０２の正面図である。丈高のポーチ９０２は、フラップ９０５、つまみ９１５、及び可撓性窓９１０を含み得る。フラップが閉鎖位置にあるとき、容器９０６の外面９８０はフラップ９０５の下に延在する。
【００３５】
図１２は、丈高のポーチ９０２の背面図である。容器９０６は、締結手段９５０を使用することによって、改変された取付ブラケット９２１に連結され得る。改変された取付ブラケット９２１は、Ｌ字型拡張部９９５、１つ以上の整列ペグ９２５、フレーム９９０、１つ以上のキャッチ９３０、及びラッチアダプタ５２６を含み得る。ラッチアダプタ５２６は、容器９０６とフレーム９９０との間で捕捉される。ラッチアダプタ５２６は、ブラケット軸９０７に沿って移行する。ブラケット軸は、改変された取付ブラケット９２１に沿って中心及び垂直方向に位置する。ラッチアダプタ５２６は、図１３及び１５に関連して以下でより詳細に記載される。
【００３６】
図１３は、ラッチアダプタ５２６の等角図である。ラッチアダプタ５２６は、第１のラッチ把手係合面４５０及び第２のラッチ把手係合面４５５、複数の爪４６０、ならびに摺動面４７０を有する摺動構造４６５を含み得る。第１のラッチ把手係合面
【００３７】
図１２、１３、及び１４を参照すると、複数の爪は、図１２に示される静止位置と図１４に示される作動位置との間のラッチアダプタ５２６の移動の量を制限するように構成される。静止位置では、上方の複数の爪４６１は、図１２に示されるようにフレーム９９０と接触している。作動位置では、下方の複数の爪４６２は、図１４に示されるようにフレーム９９０と接触している。摺動面４７０は、静止位置と作動位置との間の滑らかな移行を可能にする。摺動面４７０は、フレーム９９０と摺動自在に連結され得る。フレーム９９０は、静止位置及び作動位置を画定し得る。
【００３８】
図１４は、丈高のポーチ９０２の別の実施形態の背面図である。この実施形態では、第１のキャッチ９３０ａ及び第２のキャッチ９３０ｂの２つのキャッチのみが存在し得る。ラッチアダプタ５２６は、作動位置で示される。この実施形態は、図１２、１３、及び１７に関連して以下に記載されるように、丈高のポーチ９０２を下方の磁気ポーチ取付部５００に固定する必要性を否定することができる。
【００３９】
図１５は、開放位置にあるフラップ９０５を有する丈高のポーチ９０２の別の正面図である。丈高のポーチ９０２の内部区画９７０は、図８の単一のポーチ９０１の約２倍の容積である。丈高のポーチ９０２の寸法は、丈高約８〜丈高約１２及び幅約８〜幅約１０であり得る。
【００４０】
図１６は、図１の磁気ポーチ取付部５００に連結される丈高のポーチ９０２の等角図である。図１３、１４、及び１６を参照すると、丈高のポーチ９０２は、単一の磁気ポーチ取付部５００と取り外し可能に連結され得る。第１のラッチ把手係合面４５０は、ラッチ把手５２５と接触し得る。ラッチアダプタ５２６が静止位置から作動位置に矢印「Ｃ」の方向で移行されるにつれて、第１のラッチ把手係合面４５０は図２のラッチ６００を保持位置から解放位置に移行させ、それにより丈高のポーチ９０２を磁気ポーチ取付部５００から解放する。１つ以上のラッチバネ６０５（図２）は、ラッチ把手５２５を保持位置に、ラッチアダプタ５２６を静止位置に付勢する。
【００４１】
図１２、１３、及び１７を参照すると、一実施形態では、丈高のポーチ９０２は２つの磁気ポーチ取付部５００（図１）と取り外し可能に連結されてもよく、ここで各磁気ポーチ取付部５００は、上方の磁気ポーチ取付部５０１（図１７に示される）が上方の組のキャッチ９３１（図１２）と取り外し可能に連結され、下方の磁気ポーチ取付部５０２（図１７に示される）が下方の組のキャッチ９３２（図１２）と取り外し可能に連結され得るように、図１２のブラケット軸９０７に沿って垂直方向に位置付けられる。第１のラッチ把手係合面４５０は、上方ポーチ取付部５０１のラッチ把手５２５と接触し得、第２のラッチ把手係合面４５５は、下方ポーチ取付部５０２のラッチ把手５２５と接触し得る。ラッチアダプタ５２６が静止位置から作動位置に矢印「Ｃ」の方向で移行されるにつれて、第１のラッチ把手係合面４５０は、上方磁気ポーチ取付部５０１の図２のラッチ６００を保持位置から解放位置に移行させ、同時に下方磁気ポーチ取付部５０２のラッチ６００を保持位置から解放位置に移行させ、それにより丈高のポーチ９０２を上方磁気ポーチ取付部５０１及び下方磁気ポーチ取付部５０２から解放する。１つ以上のラッチバネ６０５（図２）は、ラッチ把手５２５を保持位置に、ラッチアダプタ５２６を静止位置に付勢する。
【００４２】
図１、４、９、１２、及び１４を参照すると、ポーチ９００、単一のポーチ９０１、丈高のポーチ９０２、及び長いポーチ９０３（図２５）は、１つ以上の磁気ポーチ取付部５００と取り外し可能に連結するように構成される。各ポーチは、取付ブラケット９２０の変形を有し得る。そのため、ポーチを磁気ポーチ取付部５００に取り外し可能に連結する動作は同じである。唯一の違いは、ポーチ９００、単一のポーチ９０１、丈高のポーチ９０２、及び長いポーチ９０３を表面または装置に首尾よく連結するための２つ以上の磁気ポーチ取付部５００の配列及び／または配向である。
【００４３】
取付ブラケット９２０を磁気ポーチ取付部５００と取り外し可能に連結する動作は、図１及び４に関連して記載される。しかしながら、動作の記述は、図１及び４の構造のみに制限されないことを理解されたい。ここで図１及び４を参照すると、取付ブラケット９２０は、ラッチ軸５５０及びキャッチ軸９４０が互いに実質的に平行であるように、磁気ポーチ取付部５００に取り外し可能に連結され得る。ポーチ９００が磁気ポーチ取付部５００にごく近接して移動されるにつれて、１つ以上の磁気領域５２０（図２）と１つ以上のブラケット磁気領域との間の吸引磁力はともに、キャッチ９３０をラッチアパーチャ５３０と、及び１つ以上の整列ペグ９２５を１つ以上の取付アパーチャ５１０と整列させ、取付ブラケット９２０及び磁気ポーチ取付部５００を一緒に引き付けて、この２つを取り外し可能に連結する。一例では、ポーチ９００は磁気ポーチ取付部の近くに自由に落下させて解放されてもよく、吸引磁力が誘引され、ポーチ９００を磁気ポーチ取付部５００に取り外し可能に連結するだろう。
【００４４】
別の例では、磁気ポーチ取付部５００は、図１８に示されるようにキャビネットの下の壁１８００に連結され得る。ポーチ９００は、磁気ポーチ取付部５００の近くに保持されて磁気吸引力が誘引されてもよく、ユーザがキャッチ９３０をラッチアパーチャ５３０に視覚的に整列する、またはポーチ９００を磁気ポーチ取付部５００に取り外し可能に連結する錠止機構を作動することを必要とせずに、ポーチ９００を磁気ポーチ取付部５００に取り外し可能に連結するだろう。１つ以上の整列ペグ９２５及び１つ以上の取付アパーチャ５１０は、ラッチ軸５５０及びキャッチ軸９４０を互いに実質的に平行であるように整列させることをさらに支援する。ラッチ軸５５０及びキャッチ軸の実質的な整列は、ラッチ歯５３５がキャッチ９３０を完全に係合し、ポーチ９００と磁気ポーチ取付部５００との衝突対応の連結を提供することを可能にする。
【００４５】
ポーチは、上述の磁気ポーチ取付部５００（図１）及び取付ブラケット９２０（図３）の代わりに取り外し可能な手段によって表面または装置に連結されてもよい。取り外し可能な手段としては、ネジ、ボルト、フック及びループファスナ、磁石、テープ、ラッチ、留め金、プッシュ型プラスチックリベット、パネルファスナ、ツイストロックファスナ、ボールスタッド及びボール受け、ｔｉｎｎｅｒｍａｎファスナ、ストラップ、ツイストタイ、吸盤、または２つ以上の物体を機械的に一緒に継合若しくは添付し、容易に分離される任意の同様の装置が挙げられ得るが、これらに限定されない。
【００４６】
例えば、別の実施形態では、ポーチは、ポーチに連結される磁石を用いて表面または装置に固定されてもよい。この例では、表面若しくは装置は、ポーチ内に磁石の両極である磁石を有し得るか、または表面若しくは装置は、強磁性材料から作製され得る。ポーチが表面または装置に近接して移動されるにつれて、吸引磁力がポーチを表面または装置に引き寄せ、ポーチを表面または装置に連結する。
【００４７】
図１〜１８を参照すると、容器９０６及びフラップ９０５は、ナイロン及び炭素繊維を含む織布材料、樹脂を浸み込ませた織布または柔軟性を低減させるために厚さを増加した織布である堅い織布材料、プラスチック材料、ゴム材料等から作製され得る。ポーチは、
衝突対応であり得る。ここで図１、４、９、及び１２を参照すると、１つ以上の磁気ポーチ取付部５００及び取付ブラケット（すなわち、本書を通して用いる場合、「取付ブラケット」は、図４の取付ブラケット９２０、図９の第１の取付ブラケット９２０ａ及び第２の取付ブラケット９２０ｂ、ならびに改変された取付ブラケット９２１を含む）を含む改良キットを使用して、既存のポーチを改良し、磁性ポーチ取設システムを使用することができる。締結手段９５０を使用して、取付ブラケットを既存のポーチに連結することができる。取付ブラケットは、既存のポーチの形状及び大きさに順応するように改変され得る。
【００４８】
ここで図１９を参照すると、衝突対応の携帯用物品区画化装置（軟質壁１００）の正面図が示される。軟質壁１００は、第１の半シェル１０５及び第２の半シェル２０５（図２）を備えるシェル３００（図３）を含み得る。第１の半シェル１０５は、第１の把手１１０、第２の把手１１５、１つ以上の衝撃領域１２０、１つ以上のスペーサ１２５、１つ以上の取付場所１３０、１つ以上の反射領域１３５、印１４０、及び１つ以上の脚部１４５を含み得る。第１の把手１１０は第１の把手領域１５０に架かり得、第２の把手１１５は第２の把手領域１５５（図３を参照されたい）に架かり得る。第１の把手領域１５０及び第２の把手領域１５５は、それぞれ、第１の半シェル１０５及び第２の半シェル２０５を陥没させてもよく、ユーザが第１の把手１１０または第２の把手１１５のいずれかをよりしっかりと掴むことを可能にすることができる。第１の把手１１０は、中心軸１７５に実質的に平行な側面に沿って第１の半シェル１０５に連結され得、第２の把手１１５は、取付軸１７０に実質的に平行であり、かつ１つ以上の脚部１４５と反対の側面に沿って第１の半シェル１０５に連結され得る。
【００４９】
１つ以上の取付場所１３０は、第１の半シェル１０５の第１の外面１６５に連結され得る。１つ以上の取付場所１３０を使用して、軟質壁１００を表面（図示せず）または構造（図示せず）に固定することができる。１つ以上の取付場所１３０は、フックまたは他の締結手段であってもよい。一実施形態では、１つ以上の取付場所１３０は、取付スタッド（図３３）を含み得る。一実施形態では、１つ以上の取付場所１３０は、図３４及び３５に示される楔形接合部７２であってもよい。軟質壁１００の表面または構造への連結は、機器取付システム３８０（図３１）に関連して以下でより詳細に記載される。
【００５０】
図２０は、軟質壁１００の背面図であり、第２の半シェル２０５を示す。第２の半シェル２０５は、１つ以上の衝撃領域１２０、１つ以上のスペーサ１２５、１つ以上の反射領域１３５、１つ以上の印１４０、１つ以上の拘束用ストラップ２１０、及び１つ以上の脚部１４５を含み得る。１つ以上のスペーサは、外部空間において第１の半シェル及び第２の半シェルに連結され得る。
【００５１】
図１９及び２０を参照すると、１つ以上の衝撃領域１２０はゴム等から作製され得る。１つ以上の衝撃領域１２０は、複数の角領域１６０、１６１、１６２、１６３、２６０、２６１、２６２、及び２６３に位置付けられる。１つ以上の衝撃領域１２０を使用して、軟質壁１００の複数の角領域１６０、１６１、１６２、１６３、２６０、２６１、２６２、及び２６３上の衝撃の力を吸収することができる。１つ以上のスペーサ１２５は、ゴム等から作製され得る。
【００５２】
図２４を参照すると、表面軸８０５は、１つ以上のスペーサ１２５の最外規模を画定し得る。表面軸８０５は、外軸８１０から距離ｈであり得る。表面軸８０５は、軟質壁１００が寄り掛かっている、または軟質壁１００が連結される表面に対応し得る。外軸８１０は、第１の外面１６５及び第２の外面２６５によって創出される平面と実質的に整列すると定義され得る。１つ以上のスペーサ１２５を使用して、外軸８１０を平行線に沿って表面軸８０５と実質的に整列させ、シェルが開放位置にある間、表面との整列を維持することができる。表面は、壁、床、地面、傾斜面等であり得る。１つ以上のスペーサ１２５の各スペーサに対する距離ｈは、外軸８１０と表面軸８０５との間の実質的な平行関係の維持に合わせて変化し得る。一実施形態では、表面軸８０５は、１つ以上の取付場所１３０の最外規模も画定し得る。別の実施形態では、１つ以上の取付場所１３０は、軟質壁１００が表面または装置を連結し、外軸８１０と表面軸８０５との間の実質的な平行関係を依然として維持することを可能にするように、必要に応じて変化してもよい。
【００５３】
再び図１９及び２０を参照すると、１つ以上の反射領域１３５が第１の半シェル１０５の第１の外面１６５及び第２の半シェル２０５の第２の外面２６５の上に配列され、全ての光源レベル条件における識別または信号を提供することができる。１つ以上の反射領域１３５を使用して、軟質壁１００の存在を合図することができる。一実施形態では、１つ以上の反射領域１３５は、発光ダイオード（ＬＥＤ）または軟質壁１００及びその周辺領域を照らすために使用され得る他の発光装置であり得る。第１の外面１６５及び第２の外面２６５は、軟質壁１００の内容物または軟質壁１００の指定用途を指示するために、色分けされてもよく、及び／または１つ以上の印１４０を含んでもよい。１つ以上の反射領域１３５、１つ以上の印１４０、第１の外面１６５及び第２の外面２６５の色分け、ならびに１つ以上の衝撃領域１２０の着色は、単独でまたは組み合わせて軟質壁１００の指定用途または軟質壁１００の内容物を指示するように機能することができる。軟質壁１００の内容物及び指定用途は、以下でより詳細に説明される。
【００５４】
図２１は、軟質壁１００のシェル３００の側面図である。シェル３００は、第１の半シェル１０５及び第２の半シェル２０５を含み得る。シェル３００は、初期シェルが内部空間７１０（図７）及び外部空間７１５（図７）を画定するように第１の半シェル１０５及び第２の２０５が一緒に連結される閉鎖位置で示される。第１の半シェル１０５及び第２の半シェル２０５は、実質的に類似の寸法を有し得、共通の側面に沿って蝶番式に連結され得る。一実施形態では、蝶番３０５は布地で構築されてもよく、ピアノ蝶番のようであってもよい。蝶番３０５は、金属、プラスチック、ゴム等で構築されてもよい。蝶番３０５は、第１の半シェル１０５及び第２の半シェル２０５を共通の側面に沿って一緒に蝶番式に連結し、シェル３００を画定する機構の一例であり得る。第１の半シェル１０５及び第２の半シェル２０５を共通の側面に沿って一緒に蝶番式に連結し、シェル３００を画定する機構の他の例としては、背出蝶番、ストラップ蝶番、ｔ字蝶番、及び自在蝶番が挙げられ得るが、これらに限定されない。
【００５５】
第１の半シェル１０５及び第２の半シェル２０５は、織布等の可撓性材料、厚手のゴム若しくは積層繊維マット等の半剛性材料、またはポリカーボネート等の剛性材料から構築され得る。
【００５６】
図１９を参照すると、取付軸１７０は、第１の半シェル１０５の中心軸１７５と実質的に直交し得る。取付軸１７０は、１つ以上の取付場所１３０の各々を二分し得る。ここで図２１を参照すると、１つ以上の取付場所１３０及び１つ以上のスペーサ１２５のうちのいくつかは、上方のスペーサ軸３１５に沿って横に位置し得る。上方のスペーサ軸３１５はまた、中心軸１７５と実質的に直交し得る。１つ以上のスペーサ１２５のうちのいくつかは、下方のスペーサ軸３２０に沿って横に位置し得る。上方のスペーサ軸３１５及び下方のスペーサ軸３２０は、互いに実質的に平行であり得る。図１及び３を参照すると、上方のスペーサ軸３１５及び取付軸１７０は、上方の平面を画定することができ、下方のスペーサ軸は下方の平面に沿って横に位置し得、ここで上方の平面及び下方の平面が互いに実質的に平行である。
【００５７】
図２２は、軟質壁１００の下面図である。蝶番３０５は、第１の半シェル１０５及び第２の半シェル２０５を共通軸４１０に沿う共通の側面に実質的に沿って蝶番式に連結する
ことができる。１つ以上の衝撃領域１２０は、それぞれ、複数の角領域１６１、１６２、２６１、及び２６２の周りを包むように示される。第１のストラップスロット４００、第２のストラップスロット４０１、第３のストラップスロット４０３、及び第４のストラップスロット４０４は、それぞれ、複数の角領域１６２、２６２、１６１、及び２６１の各々に位置付けられ得る。第１のストラップスロット４００、第２のストラップスロット４０１、第３のストラップスロット４０３、及び第４のストラップスロット４０４は、図２４の記述において以下でより詳細に説明される。
【００５８】
図１９〜２２の第１の半シェル１０５及び第２の半シェル２０５は、１つ以上の脚部１４５も含み得る。１つ以上の脚部１４５を使用して、軟質壁１００が表面上に定置されるとき、軟質壁１００に対する接触点を提供することができる。１つ以上の脚部１４５は、軟質壁１００が表面上で摺動することを防止するための特性を含んでもよく、または１つ以上の脚部１４５は、軟質壁１００及び若しくは非平面状であるべき表面の擦過を防止するための特性を含んでもよい。１つ以上の脚部１４５は、軟質壁１００が表面上に定置されるとき、１つ以上の衝撃領域１２０が表面上に直接置かれないように、１つ以上の衝撃領域１２０を表面から保護するようにも機能し得る。
【００５９】
図２３は、開放位置にある軟質壁１００の平面図である。第１の半シェル１０５は、共通軸４１０に沿って第２の半シェル２０５に蝶番式に連結される。第１の半シェル１０５及び第２の半シェル２０５の内部空間７１０内には、１つ以上の裏装板２２５及び１つ以上の取り外し可能な手段２３０が存在し得る。各裏装板２２５は、第１の半シェル１０５及び第２の半シェル２０５に連結され得る。各取り外し可能な手段２３０は、ポーチ９００の様々な実施形態が内部空間７１０内に連結及び配列され得るように、裏装板２２５に連結され得る。一実施形態では、取り外し可能な手段２３０がポーチ９００の様々な実施形態に連結される磁石である場合、裏装板２２５は、ポーチ９００の様々な実施形態と裏装板２２５との間に磁気吸引力が創出されるような鉄金属であり得る。別の実施形態では、取り外し可能な手段は、ボタンまたは留め金であってもよい。さらに別の実施形態では、取り外し可能な手段は、サムラッチであってもよい。取り外し可能な手段２３０の代替案として、磁気ポーチ取付部５００（図１）及び取付ブラケット９２０の組み合わせが用いられてもよい。
【００６０】
継ぎ目ファスナ７３５は、第１の半シェル１０５及び第２の半シェル２０５の外縁７３０に連結され得る。継ぎ目ファスナ７３５を緩めることで軟質壁１００を開放位置に移行し、締めることで軟質壁１００を閉鎖位置に移行することができる。継ぎ目ファスナ７３５としては、ジッパ、複数のボタン、フック及びループファスナ、複数のスナップ等が挙げられ得るが、これらに限定されない。同じファスナが、シェル３００（図２１）が閉鎖位置にあるとき、第１の半シェル１０５を第２の半シェル２０５に固定するように構成される。
【００６１】
図２３及び２５を参照すると、裏装板２２５は、締結手段９５０によって１つ以上のスペーサ１２５及び１つ以上の取付場所１３０に連結され得る。１つ以上の拘束用ストラップ２３５が第１の半シェル１０５及び第２の半シェル２０５に連結されてもよく、内部空間７１０が垂直方向に整列されたままであるように、シェル３００が開放位置にあるとき、第２の半シェル２０５を固定し、第１の半シェル１０５と第２の半シェル２０５との間に緊張力を提供するように構成され得る。１つ以上の拘束用ストラップ２３５は、締結手段９５０に、または１つ以上のアンカー点２４０に繋ぎ留められ得る。アンカー２４５は、各拘束用ストラップ２３５の外端部２５０に連結され得る。１つ以上の拘束用ストラップ２３５が張るように引かれると、緊張力が、第１の半シェル１０５及び第２の半シェル２０５を整列させ、１つ以上のスペーサ１２５と軟質壁１００が連結される表面または装置との間に接触力を提供し得る。アンカー２４５としては、フック、留め金、ラッチ、グロメット等が挙げられ得るが、これらに限定されない。
【００６２】
長いポーチ９０３の内部区画は、図８の単一のポーチ９０１の約２倍の容積である。長いポーチ９０３の寸法は、丈高約３〜丈高約７及び幅約１４〜幅約１８であり得る。
【００６３】
ここで図２５〜２９を参照すると、様々なポーチ構成が、軟質壁１００の内部空間７１０内に示される。図２５、２６、及び２８は、軟質壁１００の内部空間７１０内の様々なポーチの異なる配列を例示する。図２６及び２７は、取り外し可能な手段２３０（図２３）の４行×２列の格子を例示する。軟質壁１００の４行×２列の実施形態の寸法は、閉鎖位置では丈高約２３〜丈高約２５及び幅約１６〜幅約２０、ならびに開放位置では丈高約４８〜丈高約５２であり得る。図２３、２８、及び２９は、３行×２列の格子を例示する。軟質壁１００の３行×２列の実施形態の寸法は、閉鎖位置では丈高約１６〜丈高約２０及び幅約１６〜幅約２０、ならびに開放位置では丈高約３５〜丈高約４０であり得る。シェル３００の形状は、内部空間７１０内の取り外し可能な手段２３０の配列によって決定付けられ得る。
【００６４】
図３０は、拘束用ストラップ２３５及びアンカー２４５の一実施形態の等角図である。アンカー２４５は、拘束用ストラップ２３５の外端部２５０の長さを変更するための調節手段２５５を含み得る。調節手段としては、移動カン、ストラップ調節器、Ｄカン、２穴端綱環、３穴端綱環、バックル、ポスト、及びグロメット等が挙げられ得るが、これらに限定されない。
【００６５】
図３１は、車両３５０の壁３５５上にある機器取付システム３８０に取り外し可能に連結される軟質壁１００を有する車両３５０の断面図である。軟質壁１００は、ユーザが図３１に示されるように軟質壁１００を開放位置で吊るすことを可能にするか、またはユーザが軟質壁１００を取り外し、それを閉鎖位置に移行して別の場所に運ぶことを可能にする。図２３の取り外し可能な手段２３０は、ポーチが取り外され、異なる表面若しくは装置に移動されるか、または別のポーチと交換されることを可能にする。一例では、備蓄室は、供給品で既に満たされた複数のポーチを有してもよい。ユーザは１つのポーチの供給品を使い切ると、備蓄室へ行き、ポーチを備蓄されたポーチと交換することができる。取り外し可能な手段により、ユーザは、軟質壁１００内の各ポーチ内のいくつかの供給品を評価することなく軟質壁１００を再び備蓄することができる。より大きな規模では、ユーザは、全ての軟質壁１００を別の備蓄軟質壁１００と交換することができる。次いで、ユーザは、備蓄された軟質壁１００を車両３５０の壁３５５に連結することができる。
【００６６】
図３２は、機器取付システム３８０の一実施形態である。機器取付システム３８０は、迅速取付軌道１１及び楔形取付部４７を含み得る。１つ以上の取付場所１３０（図１９）は、迅速取付軌道１１または楔形取付部４７のいずれかと取り外し可能に連結するように構成され得る。一実施形態では、１つ以上の取付場所１３０は、図３３に示される取付スタッド１４１であってもよい。取付スタッド１４１は、迅速取付軌道１１の第１の外側スロット２０及び／または第２の外側スロット３０と摺動自在に連結するように構成され得る。別の実施形態では、１つ以上の取付場所１３０は、楔形接合部７２であってもよい。第１の半シェル１０５の第１の外面１６５上の１つ以上の取付場所１３０間の間隔は、図３２に示されるように２つの楔形取付部４７間の間隔によって画定され得る。言い換えると、取付軸１７０に沿う１つ以上の取付場所１３０間の距離は、各楔形取付部４７上のボウルアパーチャ５４間の距離と実質的に同じである。
【００６７】
１つ以上の拘束用ストラップ２３５及びアンカー２４５は、機器取付システム３８０に取り外し可能に連結されてもよく、軟質壁１００の下端部３８５を固定し、車両３５０内で自由に揺動することを防止することができる。
【００６８】
図３５、楔形接合部７２の正面図。楔７９が間に位置し、機器板材７４ならびに複数の捕捉ガイド７８ａ及び７８ｂを一緒に連結する。楔７９は、楔形取付部４７上の鍵穴スロットアパーチャ５７と係合し、楔形接合部７２と楔形取付部４７との回転整列を支援するように構成される導入面８３を有する。言い換えると、導入面８３は、導入面８３が鍵穴スロットアパーチャ５７に進入し得る楔形接合部７２の唯一の部分であることを確実にすることによって、楔形接合部７２及び楔形取付部４７を回転して整列させるように構成される。楔７９は、第１の傾斜面８４及び第２の傾斜面８５も含む。第１の傾斜面８４及び第２の傾斜面８５は、互いに反対向きであり、導入面８３に連結される。
【００６９】
軟質壁１００を使用して、緊急通報の間に緊急車両３５０を素早く再備蓄することができる。軟質壁１００は、緊急車両内の機器取付システム３８０から取り外され、補充されるために部屋へ運ばれてもよい。車両３５０に別の軟質壁１００が補充されてもよく、または軟質壁１００の個別のポーチ（すなわち、本書を通して用いる場合、「ポーチ」は、図３のポーチ９００、図８の単一のポーチ９０１、図１１の丈高のポーチ９０２、及び２５の長いポーチ９０３を含み得る）が取り外され、取り換えられてもよい。一実施形態では、軟質壁１００内の１つ以上のポーチは、それらの内容物を指示するために色分けされてもよい。色分けされたポーチは、軟質壁１００の補充を支援し得る。取り外し可能な手段も、どのポーチが取り外され、取り換えを必要とするかを素早く評価するために色分けされてもよい。
【００７０】
軟質壁１００及び／または１つ以上のポーチを取り外すことで、車両３５０の内部を容易に清掃することができる。機器取付システム３８０は、車両３５０の内部を再構成可能にすることができる。言い換えると、特定の軟質壁１００が車両３５０の特定の側面上に必要とされる場合、ユーザは、その特定の軟質壁１００を車両３５０内から取り外し、それを車両３５０内の別の場所で機器取付システム３８０に再度連結することができる。
【００７１】
別途定義されない限り、本明細書で使用される全ての技術及び科学用語は、特許請求の範囲に記載される対象が属する分野の当業者に通常理解されるものと同様の意味を有する。本明細書の記述で使用される専門用語は、特定の実施形態を記述するためのものに過ぎず、制限することを意図するものではない。本明細書及び添付の特許請求の範囲で使用される場合、単数形の「ａ」、「ａｎ」、及び「ｔｈｅ」は、文脈が別途明らかに指示しない限り、同様に複数形を含むことが意図される。
【００７２】
「実質的」及び「約」という用語が、任意の定量的比較、値、測定値、または他の表現に起因し得る不確実性の固有の度合いを表すために本明細書において利用され得ることに留意されたい。これらの用語は、それによって定量的表現が、議論される主題の基本機能を変更せずに規定の基準から変化し得る度合いを表すためにも本明細書で利用される。
【００７３】
ある特定の専門用語が本開示において使用されるが、便宜上であり、制限するものではない。「左」、「右」、「前」、「後」、「上方」、及び「下方」という単語は、参照される図面における方向を指定する。専門用語は、上述の単語及びそれらの派生語、ならびに同様に重要な単語を含む。
【００７４】
特定の実施形態が本明細書に例示及び記載されたが、特許請求の範囲に記載される対象の趣旨及び範囲から逸脱することなく、様々な他の変更及び修正が行われ得ることを理解されたい。さらに、特許請求の範囲に記載される対象の様々な態様が本明細書に記載されたが、そのような態様は組み合わせて利用される必要はない。ゆえに、添付の特許請求の範囲は、そのような変更及び修正の全てを対象とすることが意図され、それらは特許請求の範囲に記載される対象の範囲内である。
【図１】
2020037408.tif 000003
【図２】
2020037408.tif 000004
【図３】
2020037408.tif 000005
【図４】
2020037408.tif 000006
【図５】
2020037408.tif 000007
【図６Ａ】
2020037408.tif 000008
【図６Ｂ】
2020037408.tif 000009
【図７】
2020037408.tif 000010
【図８】
2020037408.tif 000011
【図９】
2020037408.tif 000012
【図１０】
2020037408.tif 000013
【図１１】
2020037408.tif 000014
【図１２】
2020037408.tif 000015
【図１３】
2020037408.tif 000016
【図１４】
2020037408.tif 000017
【図１５】
2020037408.tif 000018
【図１６】
2020037408.tif 000019
【図１７】
2020037408.tif 000020
【図１８】
2020037408.tif 000021
【図１９】
2020037408.tif 000022
【図２０】
2020037408.tif 000023
【図２１】
2020037408.tif 000024
【図２２】
2020037408.tif 000025
【図２３】
2020037408.tif 000026
【図２４】
2020037408.tif 000027
【図２５】
2020037408.tif 000028
【図２６】
2020037408.tif 000029
【図２７】
2020037408.tif 000030
【図２８】
2020037408.tif 000031
【図２９】
2020037408.tif 000032
【図３０】
2020037408.tif 000033
【図３１】
2020037408.tif 000034
【図３２】
2020037408.tif 000035
【図３３】
2020037408.tif 000036
【図３４】
2020037408.tif 000037
【図３５】
2020037408.tif 000038
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
磁気ポーチ取設機構であって、
少なくとも１つの取付具であって、
整列板であって、前記整列板の表面内に画定された少なくとも１つの磁気領域を、前記整列板内に画定された少なくとも１つの取付アパーチャおよび少なくとも１つのラッチアパーチャとともに有し、前記少なくとも１つの磁気領域、前記少なくとも１つの取付アパーチャ、および前記少なくとも１つのラッチアパーチャが、前記整列板表面上で互いから隔置される、整列板と、
保持位置と解放位置との間で前記整列板に対して可動のラッチであって、そのため、前記保持位置にあるとき、前記ラッチの一部を形成する少なくとも１つのラッチ歯が、前記少なくとも１つのラッチアパーチャのうちの対応する１つの中へ突出し、前記解放位置にあるとき、前記少なくとも１つのラッチ歯が、前記少なくとも１つのラッチアパーチャのうちの前記対応する１つから退縮させられる、ラッチと、を備える、少なくとも１つの取付具と、
前記少なくとも１つの取付具に取り外し可能に連結された少なくとも１つのポーチであって、前記少なくとも１つのポーチが、
内部区画を画定し、物品を前記内部区画内に受容するための開口部を有する容器と、
前記容器に蝶番式に連結され、前記開口部と前記容器の外面の少なくとも一部とを被覆するようにサイズ決定される、フラップと、
少なくとも１つの取付ブラケットであって、前記取付ブラケットの表面内に画定されたブラケット磁気領域を、少なくとも１つの整列ペグおよび少なくとも１つのキャッチとともに有し、前記少なくとも１つの整列ペグおよび前記少なくとも１つのキャッチがどちらも、前記少なくとも１つの取付ブラケット表面から突出し、そのため、前記少なくとも１つの取付ブラケットが前記少なくとも１つの取付具に近接して定置させられるとき、吸引磁力が、前記少なくとも１つの取付ブラケットと前記少なくとも１つの取付具との間に及ぼされ、前記少なくとも１つのポーチおよび前記少なくとも１つの取付具が、前記保持位置で互いに協働して、前記歯と前記キャッチとの間の接続を維持し、前記接続が、前記歯と前記キャッチとの間の前記接続の前後方向において少なくとも１５Ｇの重力に耐えることができる、少なくとも１つの取付ブラケットと、を備える、少なくとも１つのポーチと、を備える、磁気ポーチ取設機構。
【請求項２】
前記フラップが、前記内部区画内の前記物品の視認を可能にするように、可撓性窓をさらに備える、請求項１に記載の磁気ポーチ取設機構。
【請求項３】
前記容器が、前記内部区画内の前記物品の視認を可能にするように、可撓性窓をさらに備える、請求項１に記載の磁気ポーチ取設機構。
【請求項４】
前記少なくとも１つのポーチが、前記少なくとも１つの取付具の半分に取り外し可能に連結するように構成される単一のポーチ、前記少なくとも１つの取付具の単一の１つに取り外し可能に連結するように構成される単一のポーチ、並んで水平方向に位置付けられる前記少なくとも１つの取付具の２つに取り外し可能に連結するように構成される長いポーチ、および上下に垂直方向に位置付けられる前記少なくとも１つの取付具の２つに取り外し可能に連結するように構成される丈高のポーチからなる群から選択される、請求項１に記載の磁気ポーチ取設機構。
【請求項５】
前記少なくとも１つの取付具が、下方磁気ポーチ取付具の上に垂直方向に位置付けられる、上方磁気ポーチ取付具であり、前記丈高のポーチが、前記取付ブラケットに摺動自在に連結され、かつ前記上方磁気ポーチ取付具上の第１のラッチ、および前記下方磁気ポーチ取付具上の第２のラッチを同時に作動させて、前記丈高のポーチを、前記上方磁気ポーチ取付具および前記下方磁気ポーチ取付具から同時に解放するように構成される、ラッチアダプタをさらに備える、請求項４に記載の磁気ポーチ取設機構。
【請求項６】
前記少なくとも１つのキャッチがそれぞれ、前記少なくとも１つのラッチアパーチャのそれぞれの１つと整列することを支援するように、曲面をさらに備え、一方、前記少なくとも１つの整列ペグがそれぞれ、前記少なくとも１つの取付アパーチャのそれぞれの１つと整列することを支援するように、曲面をさらに備える、請求項１に記載の磁気ポーチ取設機構。
【請求項７】
前記少なくとも１つの取付具が、車両の壁、車両構造、建物の壁、建物構造、小屋、椅子、鞄、または荷車に連結される、請求項１に記載の磁気ポーチ取設機構。
【請求項８】
前記フラップを前記容器の前記外面に固定するための手段をさらに備える、請求項１に記載の磁気ポーチ取設機構。
【請求項９】
第１の半シェルおよび第２の半シェルを有するシェルを備える区画化装置をさらに備え、前記第１の半シェルおよび前記第２の半シェルの少なくとも１つが、前記少なくとも１つの取付具の少なくとも１つの取付点に取り付けられる内面を画定する、請求項１に記載の磁気ポーチ取設機構。
【請求項１０】
ポーチ取設機構の利用方法であって、
少なくとも１つの取付具を構成することであって、
整列板であって、前記整列板の表面内に画定された少なくとも１つの磁気領域を、前記整列板内に画定された少なくとも１つの取付アパーチャおよび少なくとも１つのラッチアパーチャとともに有し、前記少なくとも１つの磁気領域、前記少なくとも１つの取付アパーチャ、および前記少なくとも１つのラッチアパーチャが、前記整列板表面上で互いから隔置される、整列板と、
保持位置と解放位置との間で前記整列板に対して可動のラッチであって、そのため、前記保持位置にあるとき、前記ラッチの一部を形成する少なくとも１つのラッチ歯が、前記少なくとも１つのラッチアパーチャのうちの対応する１つの中へ突出し、一方、前記解放位置にあるとき、前記少なくとも１つのラッチ歯が、前記少なくとも１つのラッチアパーチャのうちの前記対応する１つから退縮させられる、ラッチと、を備えるように、少なくとも１つの取付具を構成することと、
少なくとも１つのポーチを構成することであって、
内部区画を画定し、物品を前記内部区画内に受容する開口部を有する容器と、
前記容器に蝶番式に連結され、前記開口部と前記容器の外面の少なくとも一部とを被覆するようにサイズ決定される、フラップと、
少なくとも１つの取付ブラケットであって、前記取付ブラケットの表面内に画定されたブラケット磁気領域を、少なくとも１つの整列ペグおよび少なくとも１つのキャッチとともに有し、前記少なくとも１つの整列ペグおよび前記少なくとも１つのキャッチがどちらも、前記少なくとも１つの取付ブラケット表面から突出する、少なくとも１つの取付ブラケットと、を備えるように、少なくとも１つのポーチを構成することと、
前記少なくとも１つのポーチを前記少なくとも１つの取付具に近接させることと、
前記少なくとも１つのポーチと前記少なくとも１つの取付具との間に吸引磁力を及ぼすことであって、そのため、前記少なくとも１つのポーチが、整列し、かつ前記少なくとも１つの取付具に連結し、前記少なくとも１つのポーチおよび前記少なくとも１つの取付具が、前記保持位置で互いに協働して、前記歯と前記キャッチとの間の接続を維持し、前記接続が、前記歯と前記キャッチとの間の前記接続の前後方向において少なくとも１５Ｇの重力に耐えることができる、吸引磁力を及ぼすことと、を含む、方法。
【請求項１１】
前記ラッチを前記保持位置から前記解放位置に移行させて、前記少なくとも１つのポーチを前記少なくとも１つの取付具から取り外すことをさらに含む、請求項１０に記載の方法。
【外国語明細書】
2020037408000001.pdf